(57)【要約】【課題】鋼製の大梁と小梁とを手間をかけずに容易にしかもコスト的に有利に接合することができる構造を提供する。【解決手段】大梁１のウェブ１ｃに沿うプレート部５と小梁２のウェブ２ｃに沿うプレート部６とを備えたガセット金物３の各プレート部５，６が各梁１，２のウェブ１ｃ，２ｃにボルト１１で取り付けられて大梁１と小梁２が接合されている。また、ガセット金物３に小梁２の下フランジ２ｂの下面側に沿う受けプレート部７が備えられ、該受けプレート部７の下面側に床水平ブレース４の端部４ａが備えられ、ガセット金物３の受けプレート部７と小梁２の下フランジ２ｂとがボルト１１で接合され、そのボルト１１でガセット金物３の受けプレート部７と床水平ブレース４の端部４ａとが接合されている。【選択図】      図１
2006200273.tif 000002
【特許請求の範囲】
【請求項１】
鋼製大梁の長さ方向中間部に鋼製小梁の端部を接合する構造であって、
前記大小の梁はそれぞれフランジとウェブを有し、
大梁のウェブに沿うプレート部と小梁のウェブに沿うプレート部とを備えたガセット金物の各プレート部が各梁のウェブにボルトで取り付けられることにより、大梁と小梁とが接合されていることを特徴とする、鋼製の大梁と小梁の接合構造。
【請求項２】
前記ガセット金物に、小梁のフランジに沿うように突出するプレート部が備えられ、該プレート部と小梁のフランジとがボルトで接合されている請求項１に記載の、鋼製の大梁と小梁の接合構造。
【請求項３】
前記小梁が下フランジを有し、前記ガセット金物に該下フランジの下面側に沿う受けプレート部が備えられると共に、該受けプレート部の下面側に床水平ブレースの端部が備えられ、ガセット金物の受けプレート部と小梁の下フランジとがボルトで接合され、そのボルトでガセット金物の受けプレート部と床水平ブレースの端部とが接合されている請求項１に記載の、鋼製の大梁と小梁の接合構造。
【請求項４】
鋼製大梁の長さ方向中間部に鋼製小梁の端部を接合する構造であって、
前記大小の梁はそれぞれフランジとウェブを有し、
大梁のウェブ及び／又はフランジに沿うプレート部と小梁のウェブ及び／又はフランジに沿うプレート部とを備えたガセット金物の各プレート部が各梁のウェブ及び／又はフランジにボルトで取り付けられることにより、大梁と小梁とが接合されていることを特徴とする、鋼製の大梁と小梁の接合構造。
【請求項５】
前記大梁にガセット金物取付け用のボルト通孔が長さ方向に所定のピッチで設けられ、
そのなかから選ばれた一部のボルト通孔を利用してガセット金物により小梁が接合されており、
大梁には、ガセット金物の取り付けられていない空きのボルト通孔が残されている、請求項１乃至４のいずれか一に記載の、鋼製の大梁と小梁の接合構造。
【発明の詳細な説明】
【技術分野】
【０００１】
本発明は、鋼製の大梁と小梁の接合構造に関する。
【背景技術】
【０００２】
鉄骨造建物において、胴差等の鋼製大梁の長さ方向中間部に鋼製の小梁の端部を現場で接合する場合の接合構造として、大梁の側に予め接合用の継ぎ手を溶接で取り付けておき、また、小梁の側にも予め接合用の継ぎ手を溶接で取り付けておき、これら継ぎ手同士を現場でボルト接合するようにしたものは、従来より提供されている。
【発明の開示】
【発明が解決しようとする課題】
【０００３】
しかしながら、上記のような従来の接合構造は、接合用継ぎ手を大梁と小梁のそれぞれに対して予め溶接で取り付けておかなければならず、その取付けが厄介で手間を要し、コストが高くついてしまうという問題がある。
【０００４】
また、次のような問題もある。即ち、大梁に対する継ぎ手の取付け方法として、大梁に接合する小梁の本数と位置から、大梁に対する継ぎ手の取付けの数と位置を決め、その位置に継ぎ手を取り付けるという方法がある。
【０００５】
この方法は、大梁に取り付けた継ぎ手の個数と、大梁に接合する小梁の本数とが一致し、すべての継ぎ手を小梁の接合に使用することができて、大梁側の継ぎ手に無駄を生じさせない利点を有するが、その一方で、大梁に取り付ける継ぎ手の数と位置を、大梁に接合する小梁の本数と接合位置に対応させなければならず、大梁に対する継ぎ手の取付けがいささか厄介であるという問題がある。
【０００６】
そこで、大梁に対し継ぎ手を長さ方向に所定のピッチで取り付けておき、そのなかから選ばれた一部の継ぎ手に小梁を接合していくという方法が考えられる。この方法では、大梁に取り付ける継ぎ手の個数と位置を、大梁に接合する小梁の本数と位置に一致させる手間を省くことができ、大梁に対する継ぎ手の取付けを手間をかけずに容易に行っていくことができる利点を有するものの、小梁の接合に用いられない継ぎ手が大梁に残ってしまい、大梁側の継ぎ手に無駄を生じさせてしまうという問題がある。特に、大梁に対する継ぎ手の取付けを、上記のように溶接で行う場合は、コストが無用に高くついてしまう。
【０００７】
本発明は、上記のような技術背景において、鋼製の大梁と小梁とを手間をかけずに容易にしかもコスト的に有利に接合することができる構造を提供することを課題とする。
【課題を解決するための手段】
【０００８】
上記の課題は、鋼製大梁の長さ方向中間部に鋼製小梁の端部を接合する構造であって、
前記大小の梁はそれぞれフランジとウェブを有し、
大梁のウェブに沿うプレート部と小梁のウェブに沿うプレート部とを備えたガセット金物の各プレート部が各梁のウェブにボルトで取り付けられることにより、大梁と小梁とが接合されていることを特徴とする、鋼製の大梁と小梁の接合構造によって解決される。
【０００９】
この構造では、大梁に対するガセット金物の取付けも、小梁に対するガセット金物の取付けも、ボルトで行うようにしているので、各梁に対するガセット金物の取付けを、無溶接で手間をかけずに容易に、しかもコスト的に有利に行うことができる。
【００１０】
加えて、ガセット金物に、大梁側の継ぎ手と小梁側の継ぎ手を兼ねさせる構造にしているので、大梁と小梁の接合に必要な継ぎ手はガセット金物だけでよく、大梁と小梁を簡素な構造で接合することができる。
【００１１】
なお、ガセット金物は、複数のプレート等を溶接で接合して製作されたものであってもよいし、その他の接合方法で接合して製作されたものであってもよいし、板曲げ成形品、その他のものからなっていてもよい。ガセット金物がプレート等を溶接で接合して製作されたものであっても、長物の梁に対して継ぎ手を溶接で取り付ける場合に比べて、プレート等のピース物の同士の溶接で済み、ガセット金物を溶接で容易に製作することができる。
【００１２】
上記の構造において、ガセット金物に、小梁のフランジに沿うように突出するプレート部が備えられ、該プレート部と小梁のフランジとがボルトで接合されているとよい。この場合は、大梁と小梁の接合部の剛性を垂直方向のみならず水平方向にも高いものにすることができ、しっかりとした接合部を形成することができる。
【００１３】
また、小梁が下フランジを有し、前記ガセット金物に該下フランジの下面側に沿う受けプレート部が備えられると共に、該受けプレート部の下面側に床水平ブレースの端部が備えられ、ガセット金物の受けプレート部と小梁の下フランジとがボルトで接合され、そのボルトでガセット金物の受けプレート部と床水平ブレースの端部とが接合されているのもよい。
【００１４】
この場合も、ガセット金物に備えられた受けプレート部と小梁の下フランジとのボルト接合によって、大梁と小梁の接合部の剛性を垂直方向のみならず水平方向にも高いものにすることができ、しっかりとした接合部を形成することができる。
【００１５】
しかも、ガセット金物の受けプレート部の下面側に床水平ブレースの端部が備えられ、該受けプレート部と小梁の下フランジとを接合しているボルトによって、受けプレート部と床水平ブレースの端部とをボルト接合する構造としているので、これら三者を簡素な構造でボルト接合することができる。
【００１６】
また、上記の課題は、鋼製大梁の長さ方向中間部に鋼製小梁の端部を接合する構造であって、
前記大小の梁はそれぞれフランジとウェブを有し、
大梁のウェブ及び／又はフランジに沿うプレート部と小梁のウェブ及び／又はフランジに沿うプレート部とを備えたガセット金物の各プレート部が各梁のウェブ及び／又はフランジにボルトで取り付けられることにより、大梁と小梁とが接合されていることを特徴とする、鋼製の大梁と小梁の接合構造によっても解決される。
【００１７】
即ち、大梁に対するガセット金物の取付けも、小梁に対するガセット金物の取付けも、ボルトで行うようにしているので、各梁に対するガセット金物の取付けを、無溶接で手間をかけずに容易に、しかもコスト的に有利に行える。加えて、ガセット金物に、大梁側の継ぎ手と小梁側の継ぎ手を兼ねさせる構造にしているので、大梁と小梁の接合に必要な継ぎ手はガセット金物だけでよく、大梁と小梁を簡素な構造で接合できる。
【００１８】
また、上記の各構造において、前記大梁にガセット金物取付け用のボルト通孔が長さ方向に所定のピッチで設けられ、
そのなかから選ばれた一部のボルト通孔を利用してガセット金物により小梁が接合されており、
大梁には、ガセット金物の取り付けられていない空きのボルト通孔が残されているのもよい。
【００１９】
この構造では、大梁に設けるボルト通孔の数と位置を小梁の接合数と接合位置に一致させる必要がなく、大梁へのボルト通孔の形成を手間を要することなく所定のピッチで容易に行っていくことができ、しかも、小梁の接合に用いられないボルト通孔に対しては、空きのボルト通孔として残して、ガセット金物の取付けも省略することができて無駄が少なく、小梁をコスト的に有利に接合することができる。
【発明の効果】
【００２０】
本発明は、以上のとおりのものであるから、鋼製の大梁と小梁とを手間をかけずに容易にしかもコスト的に有利に接合することができる。
【発明を実施するための最良の形態】
【００２１】
次に、本発明の実施最良形態を図面に基づいて説明する。
【００２２】
図１及び図２に示す実施形態の接合構造において、１は鋼製大梁としての胴差、２は鋼製の小梁、３はガセット金物、４は床水平ブレースである。
【００２３】
胴差１は、上下のフランジ１ａ，１ｂとこれらフランジ１ａ，１ｂをつなぐウェブ１ｃとを有するＨ形鋼材からなり、小梁２も同じく上下のフランジ２ａ，２ｂとこれらフランジ２ａ，２ｂをつなぐウェブ２ｃとを有するＨ形鋼材からなっている。
【００２４】
ガセット金物３は、例えば複数枚の鋼板を溶接で接合して製作されたものなどからなり、胴差１のウェブ１ｃに沿う垂直な第１プレート部５と、小梁２のウェブ２ｃに沿う垂直な第２プレート部６と、小梁２の下フランジ２ｂの下面側に沿う水平な受けプレートとしての第３プレート部７とを有し、第３プレート部７は、第１プレート部５の高さ方向中間部に備えられると共に、第２プレート部６は、第１、第３の各プレート部５，７の幅方向の中間部に備えられている。８は補強部材で、ガセット金物３において、第３プレート部７を下から補強的に支えるものである。該ガセット金物３は、小梁２の端部の下フランジ２ｂに設けられたスリット９内に第２プレート部６を差し込むことで、第２プレート部６を小梁２の端部のウェブ２ｃに沿わせ、第３プレート部７を小梁２の端部の下フランジ２ｂの下面側に沿わせることができるようになされている。
【００２５】
そして、ガセット金物３の第１プレート部５には、第２プレート部６を挟む両側であって、第３プレート部７よりも上方の領域にボルト通孔１０…が設けられ、それに対応して胴差１の長さ方向中間部のウェブ１ｃにボルト通孔１０…が設けられ、ガセット金物３の第１プレート部５を、胴差１の下フランジ１ｂに支承させるようにして胴差１のウェブ１ｃにボルト１１…で接合することができるようになされている。
【００２６】
また、ガセット金物３の第２プレート部６にもボルト通孔１０…が設けられ、それに対応して小梁２のウェブ２ｃにボルト通孔１０…が設けられ、ガセット金物３の第３プレート部７を小梁２の下フランジ２ｂの下面側に沿わせた状態にして、第２プレート部６を小梁２のウェブにボルト１１…で接合することができるようになされている。
【００２７】
更に、ガセット金物３の第３プレート部７には、第２プレート部６を挟む両側にボルト通孔１０…が設けられ、それに対応して小梁２の下フランジ２ｂにボルト通孔１０…が設けられ、第３プレート部７を小梁２の下フランジ２ｂにボルト１１…で接合することができるようになされている。
【００２８】
胴差１と小梁２の接合は、ガセット金物３の第１プレート部５を胴差１のウェブ１ｃにボルト１１…で取り付ける。次いで、小梁２の端部のスリット９にガセット金物３の第２プレート部６を差し込んで、第２プレート部６と第３プレート部７を小梁２のウェブ２ｃと下フランジ２ｂに沿わせ、第２、第３プレート部７を小梁２のウェブ２ｃと下フランジ２ｂにボルト１１…で取り付け、その際、床水平ブレース４の端部プレート部４ａをガセット金物３の第３プレート部７の下面側に重ねるように設置し、該床水平ブレース４の端部プレート４ａを、第３プレート部７と小梁２の下フランジ２ｂとを接合しているボルト１１を利用してガセット金物３の第３プレート部７に接合する。こうして、胴差１の長さ方向中間部に小梁２の端部が接合される。
【００２９】
上記の接合構造では、胴差１と小梁２との接合にガセット金物３を用い、胴差１に対するガセット金物３の取付けも、小梁２に対するガセット金物３の取付けも、いずれもボルト１１…で行うようにしているので、各梁１，２に対するガセット金物３の取付けを、無溶接で手間をかけずに容易に、しかもコスト的に有利に行うことができる。また、ガセット金物３に胴差１側の継ぎ手と小梁２側の継ぎ手を兼ねさせる構造にしているので、胴差１と小梁２の接合に必要な継ぎ手はガセット金物３だけでよく、胴差１と小梁２を簡素な構造で接合することができる。
【００３０】
また、ガセット金物３は、プレートを溶接で接合して製作したものであっても、長物の梁１，２に継ぎ手を溶接で取り付ける場合に比べて、プレート等のピース物の同士の溶接で済み、ガセット金物３を溶接で容易に製作することができる。
【００３１】
また、上記の接合構造では、ガセット金物３に第３プレート部７が備えられ、第３プレート部７と小梁２の下フランジ２ｂとがボルト１１…で接合されているとよい。この場合は、胴差１と小梁２の接合部の剛性を垂直方向のみならず水平方向にも高いものにすることができて、しっかりとした接合部を形成することができる。
【００３２】
更に、上記の接合構造では、ガセット金物３の第３プレート部の下面側に床水平ブレース４の端部が備えられ、第３プレート部７と小梁２の下フランジ２ｂとを接合するボルト１１…で第３プレート部７と床水平ブレース４の端部とが接合されているので、第３プレート部７と小梁２の下フランジ２ｂと床水平ブレース４の端部を簡素な構造でボルト接合することができる。
【００３３】
そして、上記のように、ガセット金物３を用いてボルト１１…で胴差１と小梁２とを接合する構造を採用することで、胴差１のウェブ１ｃにガセット金物取付け用のボルト通孔１０を長さ方向に所定のピッチで設け、そのなかから選ばれた一部のボルト通孔を利用してガセット金物３により小梁２を接合し、胴差１には、ガセット金物３の取り付けられていない空きのボルト通孔を残すようにすることも可能となり、それにより、胴差１に設けるボルト通孔の数と位置を小梁２の接合数と接合位置に一致させる必要がなく、胴差１のウェブ１ｃへのボルト通孔１０…の形成を手間を要することなく所定のピッチで容易に行っていくことができ、しかも、小梁２の接合に用いられないボルト通孔に対しては、空きのボルト通孔として残して、ガセット金物３の取付けも省略することができて無駄が少なく、小梁２をコスト的に有利に胴差１に接合することができるようになる。
【００３４】
以上に、本発明の実施形態を示したが、本発明はこれに限られるものではなく、発明思想を逸脱しない範囲で各種の変更が可能である。例えば、上記の実施形態では、胴差を大梁とした場合を示しているが、本発明の構造は、各種建物や構造物における大梁と小梁の接合構造として広く用いることができるものである。また、大小の梁は、Ｈ形鋼材に限らず、ウェブとフランジとを備えた各種鋼製梁であってよい。
【００３５】
また、上記の実施形態では、ガセット金物３を小梁２のウェブ２ｃとフランジ２ｂの両方にボルト接合している場合を示しているが、小梁のウェブにのみボルト接合するようにしてもよいし、小梁のフランジにのみボルト接合するようにしてもよい。更に、上記の実施形態では、ガセット金物３を、大梁１のウェブ１ｃにのみボルト接合した場合を示しているが、大梁のウェブとフランジの両方にボルト接合するようにしてもよいし、大梁のフランジにのみボルト接合するようにしてもよい。
【図面の簡単な説明】
【００３６】
【図１】図（イ）は実施形態の接合構造を示すもので、胴差と小梁とガセット金物を分離状態にして示す斜視図、図（ロ）はガセット金物の他の斜視図である。
【図２】図（イ）は同接合部の断面正面図、図（ロ）は図（イ）のＩ−Ｉ線断面矢視図、図（ハ）は図（イ）のＩＩ−ＩＩ線断面矢視図である。
【符号の説明】
【００３７】
１…胴差（鋼製大梁）
１ａ，１ｂ…フランジ
１ｃ…ウェブ
２…鋼製小梁
２ａ，２ｂ…フランジ
２ｃ…ウェブ
３…ガセット金物
４…床水平ブレース
５…第１プレート部
６…第２プレート部
７…第３プレート部（受けプレート部）
１０…ボルト通孔
１１…ボルト
【図１】
2006200273.tif 000003
【図２】
2006200273.tif 000004